(57)【要約】 【課題】  重いものでも表示可能な充分な強度を有し、かつ、種々の大きさの標示物を任意の高さかつ任意の角度に簡単に固定することが可能な標示スタンドを提供する。【解決手段】  標示スタンド１０は、支柱１１の長手方向に沿って溝部１２が設けられており、この溝部１２内に、一対の支持アーム２０Ａ，２０Ｂの端部に設けられた摺動部材３０が摺動可能に収容されている。標示板Ｓを固定する場合には、まず、支持アーム２０Ａ，２０Ｂを所望の高さかつ所望の角度に調節し、摺動部材３０のロックレバー３５を解放位置からロック位置に回動操作する。【選択図】  図１
2006039414.tif 000002
【特許請求の範囲】
【請求項１】
長手方向に沿って延びるガイド部を有する支柱と、この支柱の前記ガイド部に沿って摺動可能な一対の摺動部材と、これらの摺動部材を前記ガイド部の所要の位置に固定するための固定手段と、それぞれの一端部が前記各摺動部材に対して第１のヒンジ機構によって揺動可能に連結され、他端部が互いに第２のヒンジ機構により互いに揺動可能に連結された第１および第２の支持アームと、これらの支持アームに設けられて標示物を保持するための保持手段とを備えてなる標示スタンド。
【請求項２】
前記固定手段が、周面の一部から膨出した膨出部が前記ガイド部の摺動面に押しつけられるロック位置と、前記膨出部が前記ガイド部の摺動面から離れる解放位置との間を回動可能なカムレバーからなるとともに、前記ガイド部の摺動面には滑り止め部材が設けられていることを特徴とする請求項１に記載の標示スタンド。
【請求項３】
前記第１および第２の支持アームは、それぞれ平行に並ぶ２本の支持パイプから構成されていることを特徴とする請求項１または２記載の標示スタンド。
【請求項４】
前記保持手段は、前記支持アームに対してその長手方向に沿って移動可能に設けた一対の面板受け部材からなることを特徴とする請求項１ないし３のいずれかに記載の標示スタンド。
【請求項５】
前記ガイド部は支柱に設けた溝部であり、前記摺動部材は前記溝部内を摺動することを特徴とする請求項１ないし４のいずれかに記載の標示スタンド。
【請求項６】
前記第１のヒンジ機構は、前記摺動部材のうち前記支柱の溝部内に位置する部分に設けられ、前記第２のヒンジ機構は、その横幅寸法が前記溝部の開口幅寸法以下とされて前記溝部内に収納可能となっていることを特徴とする請求項５に記載の標示スタンド。
【発明の詳細な説明】
【技術分野】
【０００１】
本発明は、標示物を保持するための標示スタンドに関するものである。
【背景技術】
【０００２】
従来、例えば案内板等の標示物を保持するためのスタンドは、例えば特開平８−１６０８７１号公報に開示されているものがある。このものは、テーブルや床面等に設置されるベース板に支柱を立設し、その上端部に標示物を狭持固定するバインダーを取り付けた構成である。上記支柱は、円筒状の固定支柱と、この固定支柱より径が小さく、固定支柱内に出し入れすることにより固定支柱に対して伸縮可能に取り付けられた可動支柱とからなる。この可動支柱は、固定支柱の上端に設けられたネジ式の固定具により、固定支柱の任意の位置に固定可能とされている。
【０００３】
また、特開平７−３１１５５１号公報には、支柱の長手方向に長い奥広がりのアリ溝を設け、このアリ溝内に挿入された板状ナットと、標示板を取り付けるためのチャック金具に螺入されたビスとの締め付けにより、標示板を支柱の任意の位置に固定可能とする構成のスタンドが開示されている。
【特許文献１】特開平８−１６０８７１号公報
【特許文献２】特開平７−３１１５５１号公報
【発明の開示】
【発明が解決しようとする課題】
【０００４】
しかし、特開平８−１６０８７１号公報に開示された構成のスタンドは強度が充分でない。また、標示物を任意の高さに表示するために、２本の支柱（固定支柱および可動支柱）を所望の高さとなるようにつなぎ合わせ、固定具で固定する構成であるが、このような構成は固定具が緩みやすいという事情があり、あまり重いものを表示させることができない。一方、特開平７−３１１５５１号公報に開示されたものは、標示物に傾きを設けることができず、また、標示物の大きさ（長さ）に合わせて上下のチャック金具間の距離を正確に位置決めしなければならないという問題がある。
【０００５】
本発明は上記のような事情に鑑みてなされたものであって、重いものでも保持可能な充分な強度を有し、かつ、種々の大きさの標示物を任意の高さかつ任意の角度に簡単に固定することが可能な標示スタンドを提供することを目的とするものである。
【課題を解決するための手段】
【０００６】
上記の目的を達成するために請求項１の標示スタンドは、長手方向に沿って延びるガイド部を有する支柱と、この支柱の前記ガイド部に沿って摺動可能な一対の摺動部材と、これらの摺動部材を前記ガイド部の所要の位置に固定するための固定手段と、それぞれの一端部が前記各摺動部材に対して第１のヒンジ機構によって揺動可能に連結され、他端部が互いに第２のヒンジ機構により互いに揺動可能に連結された第１および第２の支持アームと、これらの支持アームに設けられて標示物を保持するための保持手段とを備えるところに特徴を有する。
【０００７】
また、請求項２の発明は、前記固定手段を、周面の一部から膨出した膨出部が前記ガイド部の摺動面に押しつけられるロック位置と、前記膨出部が前記摺動面から離れる解放位置との間を回動可能なカムレバーから構成し、前記ガイド部の摺動面に滑り止め部材を設けたところに特徴を有する。
【０００８】
さらに、請求項３の発明は、請求項１または請求項２に記載の標示スタンドにおいて、前記第１および第２の支持アームを、それぞれ平行に並ぶ２本の支持パイプから構成したところに特徴を有し、請求項４の発明は、前記保持手段を、前記支持アームに対してその長手方向に沿って移動可能に設けた一対の面板受け部材から構成したところに特徴を有する。
【０００９】
また、請求項５の発明は、請求項１ないし請求項４のいずれかに記載の標示スタンドにおいて、前記ガイド部を支柱に設けた溝部から構成し、前記摺動部材は前記溝部内を摺動させるようにしたところに特徴を有する。そして、請求項６の発明は、請求項５の発明において、第１のヒンジ機構は、前記摺動部材のうち前記支柱の溝部内に位置する部分に設け、前記第２のヒンジ機構は、その横幅寸法が前記溝部の開口幅寸法以下とされて前記溝部内に収納可能としたところに特徴を有する。
【発明の効果】
【００１０】
上記請求項１の標示スタンドによれば、第１および第２の支持アームは、第２のヒンジ機構によって、くの字状に屈曲可能となる。また、それらの支持アームの反対側は、それぞれ摺動部材に第１のヒンジ機構を介して連結され、支柱のガイド部の所望な位置に固定することができる。したがって、摺動部材を支柱の長さ方向に沿って動かし、固定手段によって支柱の所望な位置に固定すれば、第１および第２の支持アームを支柱に対して任意の高さかつ任意の角度にセットすることができ、ここに設けた保持手段によって標示物を所望な高さ・角度で保持することができる。
【００１１】
またこのように、保持手段を支柱に対して任意の位置に固定可能であるから、支柱を伸縮式ではなくつなぎ目のない１本の柱状のもので構成することができ、かつ、その構造上、支柱の太さを太くすることが可能である。よって、支柱に充分な強度を付与することができ、重いものでも保持可能な標示スタンドを得ることができる。
【００１２】
さらに、請求項２の発明によれば、摺動部材はロック位置と解放位置との間で回動可能なロックレバーにより支柱に対して固定可能とされているから、ロックレバーの回動操作を行うだけで支持アームを任意の高さ、かつ任意の角度に固定することができて、標示物の保持位置を調整するための操作がより簡単である。
【００１３】
また、請求項３の発明では、各支持アームが平行パイプから構成されているから、標示物を保持するための保持手段を安定的に支持することができ、ひいては標示物の保持状態が安定する。
【００１４】
さらに、請求項４の発明では、面板受け部材は支持アームの長手方向に移動可能であるから、板状の標示物を保持する場合に、その標示物のサイズに合わせて面板受け部材を移動させることで、各種のサイズに対応することができるようになる。
【００１５】
また、請求項５の発明では、ガイド部を溝部として摺動部材をその溝部内で摺動させるようにしたから、外形的にすっきりした単純な形状となり、汚れが付着しにくくなる。さらに、請求項６の発明では、第１のヒンジ機構だけではなく支持アーム間に位置する第２のヒンジ機構も支柱の溝部内に収納可能であるから、両摺動部材を互いに最大限離した状態にすると両支持アームが溝部内に収容されて真っ直ぐに伸びた状態になり、板状の標示物を支柱に沿った方向で支持することができる。
【発明を実施するための最良の形態】
【００１６】
以下、本発明を具体化した一実施形態について、図１ないし図８を参照して説明する。
図１は、本実施形態に係る標示スタンド１０の全体斜視図である。
支柱１１は、例えばアルミニウム等の金属の押し出し成形品であり、図２に示すように横断面はほぼ長方形である。この支柱１１の前後の両面１１Ａ，１１Ｃには、共に長手方向に沿って延びる所定幅の開口１３が形成され、内部に位置する隔壁部１１Ｂの前後両側（図２（Ａ）の上下両側）にガイド部に相当する溝部１２が形成されている。
なお、隔壁部１１Ｂの左右両側には一対の円筒部１１Ｄが設けられ、この支柱１１の下端に設けた台座１５の裏面側から各円筒部１１Ｄに図示しないボルトをねじ込むことにより支柱１１が台座１５に固定されて垂直の立ち上がり状態に支持されている。また、支柱１１の溝部１２内には、隔壁部１１Ｂ表面（摺動面）に例えば黒色のゴム板１４（本発明の滑り止め部材に相当）が貼り付けられ、後側の溝部１２内には栓体１６が挿入されてその溝部１２が閉じられている。
【００１７】
さて、上記支柱１１には、図１に示すように例えば２枚の標示板Ｓを固定するための２台の支持ユニット２０，４０が上下に取り付けられている。まず、上側の支持ユニット２０について説明すると、これは上側に位置する第１の支持アーム２０Ａと、下側に位置する第２の支持アーム２０Ｂとを備える。図３に示すように、各支持アーム２０Ａ、２０Ｂは共に、平行な横並びとされた同じ長さの２本のステンレス製の支持パイプ２１からなり、横軸形のヒンジ付き連結部材２３（第２のヒンジ機構に相当する）により互いに揺動可能に連結されている。なお、第１の支持アーム２０Ａを構成する支持パイプ２１は、第２の支持アーム２０Ｂを構成する支持パイプ２１より長い寸法である。
【００１８】
また、一対の支持アーム２０Ａ，２０Ｂにおいてヒンジ付き連結部材２３が取り付けられた端部とは反対側の各端部には、それぞれ連結部材２２が連結されている。この連結部材２２は、各支持パイプ２１の端部に嵌合されたスリーブ２２Ｂ、２２Ｂ間を横軸形の連結軸２２Ａにて連結した構造である。
【００１９】
そして、前記支柱１１の溝部１２内には各支持ユニット２０，４０当たり２個の摺動部材３０が上下に摺動可能に設けられており、ここに上記連結部材２２が揺動可能に連結されている。これらの摺動部材３０のうち下側のものの構成は、図４および図５に示す通りであり、以下、図４および図５の上下を上下方向、左下を前面、その反対側を背面として説明する。なお、上側の摺動部材３０は、これを単に上下逆に配置したに過ぎない。
【００２０】
摺動部材３０は、上記支柱１１の横断面（図２（Ａ）参照）における溝部１２の両端側の内周壁と同形状の横断面を有する略角柱状の一対の摺動壁部３１，３１と、これら一対の摺動壁部３１，３１の間であって、かつ摺動壁部３１の長さ方向の上方側に位置する支持壁部３２と、同じく一対の摺動壁部３１，３１の間であって、かつ摺動壁部３１の長さ方向の下方側に位置するストッパ壁部３３とから構成されている。なお、上記支持壁部３２とストッパ壁部３３との間にはある一定の隙間が設けられており、この隙間は、後述するロックレバー３５を受け入れ可能な孔部３４とされている。
【００２１】
さらに詳細に説明すると、上記支持壁部３２は前面および背面側からみて逆Ｔ字形状であり、背面の上部寄りには、背面側に開放した軸受溝３２Ａが水平方向に延びて設けられており、ここに、上述した連結部材２２の連結軸２２Ａが嵌め込まれている。この連結軸２２Ａおよび軸受溝３２Ａにて第１のヒンジ機構が構成され、これにて各支持パイプ２１、すなわち支持アーム２０Ａが摺動部材３０に対して連結軸２２Ａを中心に揺動可能となっている。
【００２２】
なお、軸受溝３２Ａの両脇から前面側に向かって下方側へ降りる傾斜面が形成されており、この傾斜面は、上記支持アーム２０Ａが連結軸２２Ａを回動軸として図中下方側に回動された場合に、スリーブ２２Ｂが当たらないようにするための逃がし斜面３２Ｂとなっている。
また、この支持壁部３２は摺動壁部３１よりもわずかに前面側に張り出しているとともに、その前面側の下端部が下方にやや突出しており（図６参照）、この突出部分は、後述するロックレバー３５を係止するための係止壁３２Ｃとされている。
【００２３】
また、ストッパ壁部３３は、背面が周囲と面一になるように設定されている一方、前面は下方側ほど手前となる傾斜面状に構成されており、全体として摺動壁部３１の前面より奥方へ後退した形状とされている（図８参照）。なお、この傾斜面は、後述するように、ロックレバー３５がロック位置とされた場合に、ロックレバー３５の上面が支持壁部３２の前面と面一となるような寸法および位置に予め設定してある。
【００２４】
さらに、一対の摺動壁部３１，３１の背面の、長さ方向の中央部には、後述するロックレバー３５の回動軸３５Ｂを受け入れるための軸受溝３１Ａが、水平方向に延びるように設けられている。
【００２５】
上述した摺動部材３０には、この摺動部材３０を支柱１１の任意の位置に固定するためのロックレバー３５が取り付けられる。ロックレバー３５は、図６に示すように、長方形状の板状部材の長さ方向の一方側が徐々に厚みを増すように形成されるとともに、その一方側の端部付近が下方へ向けて大きく張り出して、膨出部３５Ａとされている。そして、この膨出部３５Ａの厚み方向の中心部分からは、上述した摺動部材３０の軸受溝３１Ａへ嵌入するための円柱状の回動軸３５Ｂが、両側方へ向かって張り出すように設けられている。また、膨出部３５Ａの図中上面の端部には、幅方向にわたって、上述した摺動部材３０の係止壁３２Ｃに係止するための係止段部３５Ｃが形成されている。さらに、ロックレバー３５の膨出部３５Ａとは反対側の端部は、ロックレバー３５を回動操作するための操作部３５Ｄとされている。
【００２６】
このロックレバー３５は、図４に示すように、操作部３５Ｄを摺動部材３０の孔部３４に背面側から挿入しつつ、回動軸３５Ｂを摺動壁部３１の軸受に嵌合することにより、摺動部材３０に回動可能に取り付けられる。
【００２７】
この実施形態では上側に位置する第１の支持アーム２０Ａには、一対の面板受け部材２４，２４が取り付けられている。これら面板受け部材２４，２４は、図７および図８に示すように、扁平な略二等辺三角形の板状部材からなり、その略二等辺三角形の底辺部分が一方の面側にＬ字状に折り曲げられることにより、後述するように標示板Ｓを載置可能な受け部２５が形成されている。また、略二等辺三角形の高さ方向に沿って、かつ受け部２５とは反対側の面側に、一対の円筒状の取付筒部２６，２６が一体に形成されている。これらの取付筒部２６の内径は、前記連結部材２２のスリーブ２２Ｂの外径よりも若干大きく形成されており、取付筒部２６内にスリーブ２２Ｂを支持パイプ２１をその内部に摺動自在に貫通させつつ、各面板受け部材２４を第１の支持アーム２０Ａの任意の位置に移動でき、かつ、所望の位置で例えばネジにより固定可能である。
【００２８】
一方、下側の支持ユニット４０については、図５に示すように下側の支持アーム４０Ｂの長さは上側の支持アーム４０Ａよりも僅かに長く設定してある点が相違するものの、その他の点は上述した上側の支持ユニット２０と同一の構成である。
【００２９】
本実施形態の標示スタンド１０の構成は上述したとおりであって、次に、支柱１１に支持ユニット２０，４０を取り付ける際の取り付け方法を説明する。
まず、図６に示すように、ロックレバー３５の操作部３５Ｄを摺動部材３０に対して垂直に起こした状態で、摺動部材３０を、支柱１１の上端部からスライドさせるように溝部１２内に嵌め込む。このとき、第１および第２の支持アーム２０Ａ，２０Ｂのうち、面板受け部材２４，２４が取り付けられた方の支持アーム２０Ａが上方側に位置する向きとなるように、支持ユニット２０を支柱１１に対して取り付ける。これにより、支持ユニット２０が、くの字に屈曲可能で、かつ、支柱１１に対して任意の高さかつ任意の角度に調節可能な状態で支柱１１に取り付けられたこととなる。なおこの位置では、図６に示すように、ロックレバー３５の膨出部３５Ａは、溝部１２の奥壁（摺動面）から離れた状態とされている（以下この位置を解放位置とする）。
【００３０】
またこの時、上側の第１の支持アーム２０Ａの摺動部材３０は、ロックレバー３５の解放位置からの回動方向が上向きとなる方向に、下側の第２の支持アーム２０Ｂの摺動部材３０は、ロックレバー３５の解放位置からの回動方向が下向きとなる方向に、支柱１１に対して取り付ける（図１参照）。
【００３１】
一方、支柱１１の下側に取り付けられる支持ユニット４０については、支柱１１に対して、短い第１の支持アーム４０Ａが上側、長い支持アーム４０Ｂが下側となる方向として、上記と同様に取り付ける。
【００３２】
このような本実施形態の標示スタンド１０を使用する場合には、例えば次のように作業する。まず、上方側の支持ユニット２０のうち、面板受け部材２４，２４が取り付けられた方の支持アーム２０Ａが任意の高さかつ任意の角度となるように、支持ユニット２０全体を支柱１１に沿って移動させ、解放位置とされている各ロックレバー３５，３５の操作部３５Ｄ，３５Ｄを、支柱１１側へ向けて回動させる。すると、図９に示すように、ロックレバー３５の操作部３５Ｄが摺動部材３０のストッパ壁部３３に突き当たるとともに、係止段部３５Ｃが係止壁３２Ｃに係止してロックレバー３５の回動が停止される。すると、膨出部３５Ａが溝部１２の奥壁に設けられたゴム板１４に押しつけられ、両者間の摩擦力により、摺動部材３０が支柱１１に対して固定される（以下この状態をロック位置とする）。
そこで、両面板受け部材２４，２４の間に標示板Ｓを載置して固定すれば、標示板Ｓが上下から挟まれた状態となって標示スタンド１０に安定的に固定された状態となる。
【００３３】
また、下方側の支持ユニット４０のうち、面板受け部材２４，２４が取り付けられた第１の支持アーム２０Ａを任意の高さとなるように移動させ、その支持アーム２０Ａの摺動部材３０のロックレバー３５を解放位置からロック位置に回動させる。次に、この支持アーム２０Ａが例えば床面に対して水平となるように下方側の摺動部材３０を支柱１１に沿って動かし、そのロックレバー３５をロック位置に回動させて、支柱１１に対して固定する。このような状態で上記と同様に別の標示板Ｓを面板受け部材２４に載置すると、標示板Ｓが床面に対して水平な状態とされるから、この標示板Ｓを、例えば来場者に配布するチラシ等を置くための台としても利用することができる（図１参照）。
【００３４】
このように、本実施形態の標示スタンド１０によれば、一対の支持アーム２０Ａ，２０Ｂ（４０Ａ，４０Ｂ）を支柱１１に対して自在に動かし、ロックレバー３５を回動させるという簡単な操作により、標示板Ｓを任意の高さかつ任意の角度に容易に保持させることが可能である。また、支柱１１を太く構成することができるから、支柱１１の強度を充分に高めることができる。
【００３５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００３６】
（１）上記実施形態では、一対の支持アーム２０Ａ，２０Ｂをくの字形状に屈曲させることにより標示板Ｓに傾きを与えたが、例えば図１０に示すように、両摺動部材３０，３０を最大限離した位置に固定してもよい。すると、連結部材２２が溝部１２内に位置しており、かつ、両支持アーム２０Ａ，２０Ｂ間のヒンジ付き連結部材２３も溝部１２内に収納可能であるから、両支持アーム２０Ａ，２０Ｂは支柱１１に沿って一直線状に延び、標示板Ｓを床面に対して垂直に保持することができる。またこのとき、同じく図１０に示すように、一対の面板受け部材２４，２４をそれぞれ別の支持アーム２０Ａ，２０Ｂに取り付けることにより、より大きな標示物を保持可能となる。
【００３７】
（２）また、図１１の標示スタンド５０に示すように、一対の面板受け部材２４，２４を下方側の第２の支持アーム２０Ｂに取り付けることにより、標示板Ｓを下向きに表示することもできる。
【００３８】
（３）上記実施形態では、支柱１１を台座１５の上に固定したが、これに限らず、例えば図１１に示すように、支柱５１を壁面Ｗに対して直接固定する構成としてもよい。また、例えば床面と天井との間で突っ張り固定するようにしてもよく、どのような形態でも支柱を固定できればよい。
【００３９】
（４）上記実施形態では、一対の支持アーム２０Ａ，２０Ｂをロックレバー３５の回動操作により支柱１１に対して固定する構成としたが、これに限らず、例えばボルト・ナットのネジ機構等の他の構成の固定手段によって摺動部材を支柱に固定してもよい。
【００４０】
（５）上記実施形態では、一対の面板受け部材２４，２４によって標示板Ｓを支持アーム２０Ａに固定する構成を示したが、これに限らず、例えば支持アームにバナーキャッチャ等の保持手段を取り付けてバナー等の標示物を保持する標示スタンドにも応用可能である。
【００４１】
（６）上記実施形態では、支柱１１の前面側にのみ支持ユニット２０，４０を取り付けたが、支柱１１の裏面側に設けられている溝部１２を利用して裏面側にも同様にして支持ユニットを取り付けることができる。
【００４２】
（７）上記実施形態では、支柱のガイド部としては溝部を利用したが、これは例えば支柱に設けたレールであってもよく、その場合の摺動部材はそのレールを跨いで移動する摺動ブロックとしてもよい。
【図面の簡単な説明】
【００４３】
【図１】本発明の一実施形態の標示スタンドの斜視図
【図２】（Ａ）支柱の横断面図  （Ｂ）支柱の部分拡大斜視図
【図３】支持アームの斜視図
【図４】摺動部材の斜視図
【図５】摺動部材に連結部材およびロックレバーを組み付けた状態の斜視図
【図６】摺動部材を支柱に取り付けた状態を示す縦断面図（ロックレバーは解放位置にある）
【図７】（Ａ）支持アームおよび面板受け部材の斜視図（表側）  （Ｂ）支持アームおよび面板受け部材の斜視図（裏側）
【図８】支柱に第１および第２の支持アームを取り付けた状態を示す側面図
【図９】摺動部材を支柱に取り付けた状態を示す縦断面図（ロックレバーはロック位置にある）
【図１０】本発明の他の実施形態の標示スタンドの斜視図
【図１１】本発明の他の実施形態の標示スタンドの斜視図
【符号の説明】
【００４４】
１０…標示スタンド
１１…支柱
１２…溝部（ガイド部）
１４…ゴム板（滑り止め部材）
１６…キャップ
２０Ａ…第１の支持アーム
２０Ｂ…第２の支持アーム
２２…連結部材（第１のヒンジ機構）
２３…ヒンジ付き連結部材（第２のヒンジ機構）
２４…面板受け部材
３０…摺動部材
３１…摺動壁部
３２…支持壁部
３３…ストッパ壁部
３４…孔部
３５…ロックレバー
Ｓ…標示板（標示物）
【図１】
2006039414.tif 000003
【図２】
2006039414.tif 000004
【図３】
2006039414.tif 000005
【図４】
2006039414.tif 000006
【図５】
2006039414.tif 000007
【図６】
2006039414.tif 000008
【図７】
2006039414.tif 000009
【図８】
2006039414.tif 000010
【図９】
2006039414.tif 000011
【図１０】
2006039414.tif 000012
【図１１】
2006039414.tif 000013